(57)【要約】      （修正有）【課題】斬新な靴下として販売を促進することができる靴下による動物キャラクターを模した成形商品を提供する。【解決手段】対の靴下Ａ１ａ、Ａ１ｂからなり、一方の靴下Ａ１ａはその爪先部分の表面に動物キャラクターＫ１の顔が描かれ、他方の靴下は爪先からウェルトに向かう所要長さの内側部分の爪先側端の両側にキャラクターの手に相当する部分Ｈが突出して設けられている。一方の靴下は、キャラクターの顔が表面に出るように丸められ、他方の靴下はウェルト側から爪先に向かって前記所要長さの爪先側端まで折り込まれて有底筒状に畳まれてその筒状開口から手に相当する部分が突出している。有底筒状の他方の靴下に、丸めた一方の靴下のキャラクターの顔が開口に臨むように嵌められている。筒状の他方の靴下が籠を形成し、籠の中に動物が顔を出し、手（足）を籠の縁にかけた可愛い態様となる。【選択図】図２
0003206707.tif 000002
【実用新案登録請求の範囲】
【請求項１】
対の靴下（Ａａ、Ａｂ）からなり、その対の少なくとも一方の靴下（Ａａ）はその爪先（ａ）からウェルト（ｂ）に向かう所要長さ（Ｌ）内側部分の表面に動物キャラクター（Ｋ）の顔が描かれ、他方の靴下（Ａｂ）は爪先（ａ）からウェルト（ｂ）に向かう前記所要長さ（Ｌ）の内側部分の爪先（ａ）側端両側に前記キャラクター（Ｋ）の手に相当する部分（Ｈ）が突出して設けられており、
上記一方の靴下（Ａａ）は、上記キャラクター（Ｋ）の顔が表面に出るように丸められ、上記他方の靴下（Ａｂ）は、そのウェルト（ｂ）側から爪先（ａ）に向かって上記所要長さ（Ｌ）の爪先側端まで折り込んで有底筒状に畳まれてその筒状開口から上記手に相当する部分（Ｈ、Ｈ）が突出しており、その有底筒状の他方の靴下（Ａｂ）に、その開口（１）から前記丸めた一方の靴下（Ａａ）が前記キャラクター（Ｋ）の顔が前記開口（１）に臨むように嵌められた靴下からなるキャラクターを模した成形商品。
【請求項２】
上記対の靴下（Ａａ、Ａｂ）は、互いに、上記動物キャラクター（Ｋ）が描かれるとともに、上記キャラクター（Ｋ）の手に相当する部分（Ｈ）が突出して設けられたものであり、上記有底筒状の他方の靴下（Ａｂ）に、その開口（１）から前記丸めた一方の靴下（Ａａ）が前記キャラクター（Ｋ）の顔が前記開口に臨むように嵌められ、両靴下（Ａａ、Ａｂ）のどちらか一方の上記手に相当する部分（Ｈ）が前記筒状開口（１）から突出している請求項１に記載の靴下からなるキャラクターを模した成形商品。
【考案の詳細な説明】
【技術分野】
【０００１】
この考案は、対の靴下によって動物（アニマル）キャラクターが籠に入った態様を模した成形商品に関するものである。
【背景技術】
【０００２】
靴下（ソックス）は脚部を被う衣類であり、その表面模様は編み糸の色や編み方を変化させることによって種々のものが得られる。
一方、キャラクターは、小説、漫画、映画、アニメ、コンピュータゲームなどのフィクションに登場する人物や動物等であって、そのキャラクターを商品に付記（描いたり、記載したり等）することによって販売促進を図ることが行われている。
そのキャラクターの付記は靴下でも例外ではなく、その付記は、通常、靴下の身部の前側に行われる（特許文献１、要約、図１〜図３）。
【先行技術文献】
【特許文献】
【０００３】
【特許文献１】特開平９−７８３０５号公報
【考案の概要】
【考案が解決しようとする課題】
【０００４】
上記キャラクターを付記した靴下はそれなりに販売促進に貢献しているが、この考案は、その販売態様によってさらなる販売促進をし得るようにすることを課題とする。
【課題を解決するための手段】
【０００５】
その課題を達成するために、この考案は、対の靴下からなり、その対の少なくとも一方の靴下はその爪先からウェルトに向かう所要長さ内側部分の表面に動物キャラクターの顔が描かれ、他方の靴下は爪先からウェルトに向かう前記所要長さの内側部分の爪先側端の両側に前記キャラクターの手に相当する部分が突出して設けられており、前記一方の靴下は、キャラクターの顔が表面に出るように丸められ、他方の靴下は、そのウェルト側から爪先に向かって前記所要長さの爪先側端まで折り込まれて有底筒状に畳まれてその筒状開口から前記手に相当する部分が突出しており、その有底筒状の他方の靴下に、その開口から前記丸めた一方の靴下がキャラクターの顔が前記開口に臨むように嵌められた靴下からなるキャラクターを模した成形商品としたのである。
【０００６】
この構成において、上記所要長さは、上記他方の靴下を有底筒状にして爪先部分で籠状にした際（図５（ｄ）、同（ｅ）参照）、その籠内に上記丸めた一方の靴下が嵌り得るとともに、その開口縁に上記手に相当する部分が突出するように適宜に決定する。
このように構成すると、筒状の他方の靴下が籠（容器）を形成し、その籠の中に動物が顔を出し、手（前足）を籠の縁にかけた可愛い態様となる。この態様で販売すれば、従来になかった斬新な靴下として販売を促進することができる。
【０００７】
この構成において、上記対の靴下は、柄の異なる物でも良いが、互いに、上記動物キャラクターが描かれ、そのキャラクターの手に相当する部分が突出して設けられたものとすれば、両靴下のどちらか一方の手に相当する部分が筒状開口から突出させることができる。この場合、対の靴下が同じ態様となるため、左右の履き違い等が生じない。対の靴下の動物キャラクターは同一でも異なっていても良い。
【考案の効果】
【０００８】
この考案は、以上のように構成して、動物キャラクターが籠に入っている態様を模した靴下からなる成形商品としたため、靴下としては勿論、贈り物等、特に、子供への贈り物やおみやげ等として最適な品となる。
【図面の簡単な説明】
【０００９】
【図１】この考案に係る靴下による籠入り動物キャラクターを模した成形商品の一実施形態を包装箱に収納した状態の斜視図
【図２】同実施形態を示し、（ａ）は右斜め上方からの斜視図、（ｂ）は正面図
【図３】同実施形態の靴下を示し、（ａ）は表側平面図、（ｂ）は裏側平面図
【図４】同実施形態のキャラクターを模した成形商品への製作説明図
【図５】同製作説明図
【図６】同製作説明図
【図７】同実施形態の他の籠入り動物キャラクターを模した成形商品の斜視図
【図８】この考案に係る靴下による籠入り動物キャラクターを模した成形商品の他の実施形態を包装箱に収納した状態の斜視図
【図９】同実施形態を示し、（ａ）は右斜め上方からの斜視図、（ｂ）は正面図
【図１０】同実施形態の靴下を示し、（ａ）は表側平面図、（ｂ）は裏側平面図
【図１１】この考案に係る靴下による籠入り動物キャラクターを模した成形商品のさらに他の実施形態を包装箱に収納した状態の斜視図
【図１２】同実施形態を示し、（ａ）は右斜め上方からの斜視図、（ｂ）は正面図
【図１３】同実施形態の靴下を示し、（ａ）は表側平面図、（ｂ）は裏側平面図
【図１４】この考案に係る靴下による籠入り動物キャラクターを模した成形商品のさらに他の実施形態を包装箱に収納した状態の斜視図
【図１５】同実施形態を示し、（ａ）は右斜め上方からの斜視図、（ｂ）は正面図
【図１６】同実施形態の靴下を示し、（ａ）は表側平面図、（ｂ）は裏側平面図
【図１７】この考案に係る靴下による籠入り動物キャラクターを模した成形商品のさらに他の実施形態を包装箱に収納した状態の斜視図
【図１８】同実施形態を示し、（ａ）は右斜め上方からの斜視図、（ｂ）は正面図
【図１９】同実施形態の靴下を示し、（ａ）は表側平面図、（ｂ）は裏側平面図
【図２０】この考案に係る靴下による籠入り動物キャラクターを模した成形商品のさらに他の実施形態を包装箱に収納した状態の斜視図
【図２１】同実施形態を示し、（ａ）は右斜め上方からの斜視図、（ｂ）は正面図
【図２２】同実施形態の靴下を示し、（ａ）は表側平面図、（ｂ）は裏側平面図
【図２３】この考案に係る靴下による籠入り動物キャラクターを模した成形商品のさらに他の実施形態を包装箱に収納した状態の斜視図
【図２４】同実施形態を示し、（ａ）は右斜め上方からの斜視図、（ｂ）は正面図
【図２５】同実施形態の靴下を示し、（ａ）は表側平面図、（ｂ）は裏側平面図
【図２６】この考案に係る靴下による籠入り動物キャラクターを模した成形商品のさらに他の実施形態を包装箱に収納した状態の斜視図
【図２７】同実施形態を示し、（ａ）は右斜め上方からの斜視図、（ｂ）は正面図
【図２８】同実施形態の靴下を示し、（ａ）は表側平面図、（ｂ）は裏側平面図
【考案を実施するための形態】
【００１０】
この考案に係る一実施形態を図１〜図６に示し、この靴下Ａは、丸編みや平編み等の従来周知の種々の編み方で製造され、踵部（踵）を有するものと、踵の無いものがある。後者の踵の無い物は、足の大きさの制限が少ないため、ロット数を減らすことができる。この実施形態においては、踵の無いものとしたが、踵の有るものも採用し得る。
【００１１】
この実施形態は、図３に示す対の靴下Ａ１ａ、Ａ１ｂ（以下、「Ａａ」又は「Ａｎａ」を一方の靴下、「Ａｂ」又は「Ａｎｂ」を他方の靴下（ｎ：１、２、３・・）とし、総称を「Ａ」とする。）からなり、その対の靴下Ａ１ａ、Ａ１ｂは、同一柄及び態様からなり、その爪先ａからウェルトｂに向かう所要長さＬ内側部分の表面にシロクマ（動物キャラクター）Ｋの顔の図柄（以下、キャラクター及びその図柄を適宜に「Ｋｎ（ｎ：１、２、３・・）」と称する）が描かれ（施され）、爪先ａからウェルトｂに向かう前記所要長さＬの内側部分の爪先ａ側端の両側にキャラクターＫの手（前足）に相当する部分Ｈが突出して設けられている。
上記所要長さＬは、下記靴下Ａ１ｂを有底筒状にして爪先部分で籠状にした際（図５（ｄ）、同（ｅ）参照）、その籠内に丸めた靴下Ａ１ａが嵌り得るとともに、その開口縁に上記手に相当する部分Ｈが突出するように適宜に決定する。
【００１２】
この対の靴下Ａ１ａ、Ａ１ｂは以上の構成であり、この対の靴下Ａ１ａ、Ａ１ｂによってキャラクターＫが籠に入った態様を模した成形品（成形商品）Ｇとするには、一方の靴下Ａ１ａは、図４に示すように、キャラクターＫの顔が表面に出るように、爪先ａ及びウェルトｂを裏側に折り曲げて（同図（ａ）（ｂ））丸める（同図（ｃ））。このとき、例えば、ウェルトｂ側は４ｃｍ間隔で折り曲げ、爪先ａ側は３ｃｍ程度の折り曲げとする。
他方の靴下Ａ１ｂは、図５に示すように、ウェルトｂ側から爪先ａに向かって、例えば４ｃｍ間隔で上記所要長さＬの爪先ａ側端まで折り込む（同図（ａ）→（ｂ）→（ｃ）→（ｄ））。この状態は、同図（ｄ）、（ｅ）に示すように、靴下Ａ１ｂは、爪先ａ部分に他の部分が入り込んだ有底筒状に畳まれて籠状となり、その筒状開口１から手に相当する部分Ｈ、Ｈが突出している。
なお、上記折り曲げ（折り込み）度合（４ｃｍ等の長さ）は、靴下Ａの大きさによって適宜に決定する。
【００１３】
この有底筒状（籠状）の他方の靴下Ａ１ｂに、図６に示すように、その開口１から上記丸めた一方の靴下Ａ１ａをキャラクターＫの顔が開口１に臨むように嵌める（押し込む）。このとき、図６（ａ）に示すように、その一方の靴下Ａ１ａは両側を挟むように持って嵌めてキャラクターＫの頭に似るふくらみが生じるようにする。
この成形商品Ｇとして靴下Ａ１ａ、Ａ１ｂを販売する。このとき、図１に示すように、包装箱Ｂに収納し、その箱Ｂには、何の動物、この実施形態では「シロクマ」であるかを記載したり、上記靴下Ａ１ａ、Ａ１ｂの畳み方等を記載したりする。
【００１４】
以上から理解できるように、内側に入れられる靴下Ａ１ａのキャラクターＫ１が表面に現れ、他の靴下Ａ１ｂはその一方の靴下Ａ１ａによって形成されるキャラクターＫ１の頭をふくらみをもって包み、その籠を形成するものであって、他方の靴下Ａ１ｂは表に出ないため、どのような柄の靴下でも良いが、対であることから両靴下Ａ１ａ、Ａ１ｂが同一柄であることが好ましい。
この図１、図２で示す靴下Ａ１ｂに靴下Ａ１ａを組み込んだ態様は、手（前足）ＨがキャラクターＫ１の頭からではなく、他の胴部分から出ているように見えるため、そのキャラクターＫ１が可愛く見える。この図２（ａ）の態様において図７に示すように、他方の靴下Ａ１ｂの手Ｈを籠内に収め、一方の靴下Ａ１ａの手Ｈを出した態様とすることもできる。
【００１５】
この実施形態は、他方の靴下Ａ１ｂも全長に亘って折り返されて、その他方の靴下Ａ１ｂに一方の靴下Ａ１ａが入り込んでいる構成となっているため、図２（ａ）に示すキャラクターＫ１の頭部分となった成形商品Ｇにおいて、図６に示すように、他方の靴下Ａ１ｂから一方の靴下Ａ１ａを取り出し、その靴下Ａ１ａはそのまま広げ、靴下Ａ１ｂは表に出ている爪先ａ部分と押し込めた（折り返した）ウェルトｂ部分を摘んで広げれば、両靴下Ａ１ａ、Ａ１ｂが図３に示すその表が現れた使用状態となる。
【００１６】
なお、この考案において、キャラクターＫは、上記実施形態のシロクマＫ１に限らず、図８〜図２８に示す種々の動物としたり、猫、猿等の種々動物を採用したりすることができる。図８〜図１０は，「ひよこ」のキャラクターＫ２を描いた靴下Ａ２ａ、Ａ２ｂであり、図１１〜図１３は，「パンダ」のキャラクターＫ３を描いた靴下Ａ３ａ、Ａ３ｂであり、図１４〜図１６は，「ハムスター」のキャラクターＫ４を描いた靴下Ａ４ａ、Ａ４ｂであり、図１７〜図１９は，「ねこ」のキャラクターＫ５を描いた靴下Ａ５ａ、Ａ５ｂであり、図２０〜図２２は，「いぬ」のキャラクターＫ６を描いた靴下Ａ６ａ、Ａ６ｂであり、図２３〜図２５は，「あざらし」のキャラクターＫ７を描いた靴下Ａ７ａ、Ａ７ｂであり、図２６〜図２８は，「ペンギン」のキャラクターＫ８を描いた靴下Ａ８ａ、Ａ８ｂであり、それらは、上記実施形態（シロクマ）と同様の態様であって、同様に折り畳んで成形商品Ｇとする。
因みに、動物キャラクターＫに代えて、各種の人形などの手に相当する物を有するキャラクターを描いた靴下においても、この考案を採用することができる。また、スイカ、メロン、ミカン、リンゴ等の果物の輪切り面を前記キャラクター面とした靴下もこの考案の態様を採用することができる。この場合は、手に相当する部分Ｈは省略し得る。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００１７】
Ａ、Ａａ、Ａｂ、Ａ１ａ、Ａ１ｂ、Ａ２ａ、Ａ２ｂ、Ａ３ａ、Ａ３ｂ、Ａ４ａ、Ａ４ｂ、Ａ５ａ、Ａ５ｂ、Ａ６ａ、Ａ６ｂ、Ａ７ａ、Ａ７ｂ、Ａ８ａ、Ａ８ｂ  靴下
Ｇ  成形商品（成形品）
Ｋ１〜Ｋ８  キャラクター（同顔の模様・図柄）
Ｈ  手（前足）
ａ  靴下の爪先
ｂ  靴下のウェルト
１  開口
【図１】
0003206707.tif 000003
【図２】
0003206707.tif 000004
【図３】
0003206707.tif 000005
【図４】
0003206707.tif 000006
【図５】
0003206707.tif 000007
【図６】
0003206707.tif 000008
【図７】
0003206707.tif 000009
【図８】
0003206707.tif 000010
【図９】
0003206707.tif 000011
【図１０】
0003206707.tif 000012
【図１１】
0003206707.tif 000013
【図１２】
0003206707.tif 000014
【図１３】
0003206707.tif 000015
【図１４】
0003206707.tif 000016
【図１５】
0003206707.tif 000017
【図１６】
0003206707.tif 000018
【図１７】
0003206707.tif 000019
【図１８】
0003206707.tif 000020
【図１９】
0003206707.tif 000021
【図２０】
0003206707.tif 000022
【図２１】
0003206707.tif 000023
【図２２】
0003206707.tif 000024
【図２３】
0003206707.tif 000025
【図２４】
0003206707.tif 000026
【図２５】
0003206707.tif 000027
【図２６】
0003206707.tif 000028
【図２７】
0003206707.tif 000029
【図２８】
0003206707.tif 000030